(57)【要約】【課題】未経験者でも容易に包装作業を行うことができ、コストがかからず、簡単に廃棄することができる包装箱を提供する。【解決手段】被包装物を載置するベースシート１０と、底部を開放してそのベースシート上の被包装物に上から被せる外箱２０とで構成する。ベースシートは、矩形状の平面部１１と、その周縁に設ける複数のフラップ１２とからなる。それらのフラップには、平面部の周縁１１ａに沿って平行方向にのびる差込み部１３を設ける。各差込み部は、帯状の胴部１４と、台形形状の先端部１５で構成する。胴部には、基端位置と長さ方向中間位置に折り曲げ線ｍ・ｎを設け、長さ方向中間位置の両側を半円状に切り欠いて指掛け部１４ａを形成する。先端部は、台形形状の平行な一対の辺の短い辺１５ａを先端側とし、長い辺１５ｂを基端側とする。他方、外箱２０には、差込み部が入り込む差込み孔２２をあける。【選択図】　　　　図２
2004010164.tif 000002
【特許請求の範囲】
【請求項１】
被包装物を載置するベースシートと、底部を開放してそのベースシート上の被包装物に上から被せる外箱とで構成し、
前記ベースシートは、被包装物を載置する平面部と、その平面部の周縁に設ける複数のフラップとからなり、
それらのフラップには、差込み部を設け、
前記外箱には、その差込み部が入り込む差込み孔をあける、
ことを特徴とする、包装箱。
【請求項２】
前記差込み部を前記平面部の周縁に沿って平行方向にのばすことを特徴とする、請求項１に記載の包装箱。
【請求項３】
前記差込み部の先端を台形形状とし、その台形形状の平行な一対の辺の短い辺を先端側とし、長い辺を基端側とすることを特徴とする、請求項１または２に記載の包装箱。
【請求項４】
前記台形形状の短い辺の長さを前記差込み孔の長さより小さくする一方、長い辺の長さを前記差込み孔の長さより大きくすることを特徴とする、請求項３に記載の包装箱。
【請求項５】
前記差込み部に折り曲げ線を設けることを特徴とする、請求項１ないし４のいずれか１に記載の包装箱。
【請求項６】
前記差込み部に指掛け部を形成することを特徴とする、請求項１ないし５のいずれか１に記載の包装箱。
【発明の詳細な説明】
【０００１】
【発明の属する技術分野】
この発明は、例えば複写機、プリンタ、ファクシミリなどの製品を被包装物として包装する際に用いる包装箱に関する。
【０００２】
【従来の技術】
従来、この種の包装箱は、例えば図５に示すように、複写機等の製品を被包装物として載置するベースシート１と、底部を開放してそのベースシート１上の被包装物に上から被せる外箱２とで構成していた。ベースシート１は、矩形状の平面部３と、その平面部３周縁の対向する側縁の各々に設けるフラップ４とからなる。そして、各フラップ４に各々２つの組付け用孔５をあけるとともに、外箱２にも対向側面に各々２つの組付け用孔６をあけていた。
【０００３】
これにより、複写機等の製品を包装するときは、ベースシート１上に製品を置き、その製品を被うように上から外箱２を被せ、外箱２の対向側面の外側に各々フラップ４をあてがい、互いの組付け用孔５・６を合わせる。そして、それらの組付け用孔５・６にそれぞれプラスチック成形部品７をはめ込み、プラスチック成形部品７のロック機構をロックしていた。
【０００４】
【発明が解決しようとする課題】
しかしながら、図５に示すような従来の包装箱では、ロック機構付きのプラスチック成形品７を用いるから、
▲１▼　ロック機構の操作に特有の知識と経験を必要とする
▲２▼　部品コストがかかり、コストが高くなる
▲３▼　環境に対して悪影響を与えないようにしなければならず、簡単に廃棄することができない
などの問題があった。
【０００５】
従来の包装箱の中には、ベースシート１と外箱２とをプラスチック成形品７を用いずに、バンドを用いて締結するものもある。しかし、この場合も、包装作業に時間がかかり、部品コストもかかってコスト高となる問題があった。
【０００６】
そこで、この発明の第１の目的は、未経験者でも容易に包装作業を行うことができ、コストがかからず、簡単に廃棄することができる包装箱を提供することにある。
【０００７】
この発明の第２の目的は、そのような包装箱において、ベースシートと外箱との結合を確実にすることにある。
【０００８】
この発明の第３の目的は、そのような包装箱において、差込み部の先端を差込み孔に挿入しやすくする一方、いったん挿入した後は差込み孔から差込み部が簡単に外れ出ないようにすることにある。
【０００９】
この発明の第４の目的は、そのような包装箱において、差込み部の先端を差込み孔により挿入しやすくする一方、いったん挿入した後は差込み孔から差込み部が一層簡単に外れ出ないようにすることにある。
【００１０】
この発明の第５の目的は、そのような包装箱において、包装を解くときの作業性を高めることにある。
【００１１】
【課題を解決するための手段】
そのため、この発明は、上記第１の目的を達成すべく、複写機等の製品を被包装物として包装する包装箱において、
被包装物を載置するベースシートと、底部を開放してそのベースシート上の被包装物に上から被せる外箱とで構成し、
ベースシートは、被包装物を載置する平面部と、その平面部の周縁に設ける複数のフラップとからなり、
それらのフラップには、差込み部を設け、
外箱には、その差込み部が入り込む差込み孔をあける、ことを特徴とする。
【００１２】
請求項２に記載の発明は、上記第２の目的を達成すべく、請求項１に記載の包装箱において、差込み部を平面部の周縁に沿って平行方向にのばす、ことを特徴とする。
【００１３】
請求項３に記載の発明は、上記第３の目的を達成すべく、請求項１または２に記載の包装箱において、差込み部の先端を台形形状とし、その台形形状の平行な一対の辺の短い辺を先端側とし、長い辺を基端側とする、ことを特徴とする。
【００１４】
請求項４に記載の発明は、上記第４の目的を達成すべく、請求項３に記載の包装箱において、台形形状の短い辺の長さを差込み孔の長さより小さくする一方、長い辺の長さを差込み孔の長さより大きくする、ことを特徴とする。
【００１５】
請求項５に記載の発明は、上記第５の目的を達成すべく、請求項１ないし４のいずれか１に記載の包装箱において、差込み部に折り曲げ線を設ける、ことを特徴とする。
【００１６】
請求項６に記載の発明は、同じく上記第５の目的を達成すべく、請求項１ないし５のいずれか１に記載の包装箱において、差込み部に指掛け部を形成する、ことを特徴とする。
【００１７】
【発明の実施の形態】
以下、図面を参照しつつ、この発明の実施の形態につき詳細に説明する。
図１には、この発明による包装箱を構成するベースシートと外箱を示す。図２には、その一部を拡大して示す。
図中符号１０がベースシート、２０が外箱である。
【００１８】
まず、ベースシート１０は、被包装物を載置する矩形状の平面部１１と、その平面部１１の周縁のうち、対向する一対の側縁１１ａに各々設けるフラップ１２とからなる。それらのフラップ１２は、それぞれ側縁１１ａに沿って横長な矩形状に形成して平面部１１から直角に立ち上げて設ける。各フラップ１２の両側縁からは、各々細長な差込み部１３を、それぞれ平面部１１の側縁１１ａに沿って平行に互いに逆向きにのばして設ける。
【００１９】
各差込み部１３は、図２に示すとおり、真っ直ぐにのびる帯状の胴部１４と、台形形状の先端部１５で構成する。胴部１４には、基端位置と長さ方向中間位置とに折り曲げ線ｍ・ｎを設け、長さ方向中間位置の両側を半円状に切り欠いてそこに指掛け部１４ａを形成する。一方、先端部１５は、台形形状の平行な一対の辺の短い辺１５ａを先端側とし、長い辺１５ｂを基端側とし、各々の長さをａ、ｂとする。
【００２０】
なお、折り曲げ線ｍ・ｎは、線に沿って薄肉にしたり、ミシン目を入れたりして形成する。
【００２１】
次に、外箱２０は、底部を開放する立方形状で、その対向側面２１の下部コーナー近くにそれぞれ差込み孔２２をあける。各差込み孔２２は、図２に示すように、その長さ（高さ）をｃとする。そして、
ａ＜ｃ＜ｂ
の関係となるようにする。
【００２２】
すなわち、台形形状の先端部１５の短い辺１５ａの長さａを差込み孔２２の長さｃより小さくする一方、長い辺１５ｂの長さｂを差込み孔２２の長さｃより大きくする。なお、胴部１４の幅をｄとすると、ｄ＜ｃとする。
【００２３】
いま、この包装箱を用いて、複写機等の製品を被包装物として包装するときは、ベースシート１０上に製品を載置し、その製品を被うように上から外箱２０を被せ、外箱２０の対向側面２１の外側に各々フラップ１２をあてがう。そして、差込み部１３の先端部１５を差込み孔２２に挿入し、差込み孔２２に先端部１５の長い辺１５ｂを無理に押し込んで、図３に示すように差込み孔２２の孔縁に長い辺１５ｂの両端を掛け止めて抜けないようにする。
【００２４】
このとき、台形形状の先端部１５の短い辺１５ａの長さａを、それぞれ対応する差込み孔２２の長さｃより小さくするから、差込み孔２２に差込み部１３の先端部１５を容易に挿入することができる。また、長い辺１５ｂの長さｂを差込み孔２２の長さｃより大きくするから、いったん挿入した後は孔縁に長い辺１５ｂの両端を引っ掛かって差込み孔２２から差込み部１３の先端部１５が簡単に外れ出ないようにすることができる。
【００２５】
包装箱の包装を解いて、製品を取り出すときは、差込み部１３の指掛け部１４ａに指を掛けて図４（Ａ）中矢印Ａで示す方向に引く。そして、図４（Ｂ）に示すように差込み部１３を折り曲げ線ｍ・ｎで折り曲げて先端部１５の長い辺１５ｂの掛け止めを外し、差込み孔２２から差込み部１３の先端部１５を引き出す。その後、外箱２０を持ち上げて被いを取り除く。
【００２６】
なお、フラップ１２、差込み部１３、差込み孔２２の形状や数などは、上述した例に限るものではなく、適宜変更することができる。
【００２７】
【発明の効果】
以上説明したように、この発明によれば、被包装物を包装するとき、ベースシート上に被包装物を載置して外箱を被せ、フラップに設ける差込み部を外箱の差込み孔に挿入するだけでよいので、未経験者でも容易に包装作業を行うことができる。しかも、締結部材を別途必要としないから、余分な部品コストがかからず安価とすることができ、またプラスチック材料等を用いなくてもよいから、不要となったときの廃棄も簡単である。
【００２８】
請求項２に係る発明によれば、差込み部を平面部の周縁に沿って平行方向にのばすので、フラップに設ける差込み部を外箱の差込み孔に挿入する方向を、ベースシートから外箱を離す方向に対して直交するようにし、外箱を分離する方向の力が加わったときにも差込み孔から差込み部が容易に抜けないようにし、ベースシートと外箱との結合を確実にすることができる。
【００２９】
請求項３に係る発明によれば、差込み部の先端を台形形状とし、その台形形状の平行な一対の辺の短い辺を先端側とするので、差込み部の先端を差込み孔に挿入しやすくする一方、長い辺を基端側とするので、いったん挿入した後は引っ掛かって差込み孔から差込み部が簡単に外れ出ないようにすることができる。
【００３０】
請求項４に係る発明によれば、台形形状の短い辺の長さを差込み孔の長さより小さくするので、差込み部の先端を差込み孔により挿入しやすくする一方、長い辺の長さを差込み孔の長さより大きくするので、いったん挿入した後は引っ掛かって差込み孔から差込み部が一層簡単に外れ出ないようにすることができる。
【００３１】
請求項５に係る発明によれば、差込み部に折り曲げ線を設けるので、その折り曲げ線で折り曲げて差込み孔から差込み部の先端を容易に引き出すことができ、包装を解くときの作業性を高めることができる。
【００３２】
請求項６に係る発明によれば、差込み部に指掛け部を形成するので、その指掛け部に指を掛けて差込み孔から差込み部の先端を容易に引き出すことができ、包装を解くときの作業性を高めることができる。
【図面の簡単な説明】
【図１】この発明による包装箱を構成するベースシートと外箱の斜視図である。
【図２】その部分拡大斜視図である。
【図３】その包装箱の組立状態の部分拡大斜視図である。
【図４】その包装箱の外箱の差込み孔からフラップの差込み部を引き抜くときの説明断面図で、（Ａ）は引き出し前、（Ｂ）は引き出し後の状態を示す。
【図５】従来の包装箱を構成するベースシートと外箱の斜視図である。
【符号の説明】
１０　　ベースシート
１１　　平面部
１１ａ　平面部の対向する側縁
１２　　フラップ
１３　　差込み部
１４　　差込み部の胴部
１４ａ　指掛け部
１５　　差込み部の先端部
１５ａ　先端部の短い辺
１５ｂ　先端部の長い辺
２０　　外箱
２２　　差込み孔
ａ　　短い辺の長さ
ｂ　　長い辺の長さ
ｃ　　差込み孔の長さ
ｄ　　胴部の幅
ｍ　　折り曲げ線
ｎ　　折り曲げ線
【図１】
2004010164.tif 000003
【図２】
2004010164.tif 000004
【図３】
2004010164.tif 000005
【図４】
2004010164.tif 000006
【図５】
2004010164.tif 000007